(57)【要約】【課題】受信性能に制約がある放送受信装置もしくは放送受信方法を用いてサイマルキャスト放送を受信した場合に、可能な限り視聴者の要望を満たす形で放送を視聴できる放送受信装置もしくは放送受信方法を提供する。【解決手段】信号復調部と、復調信号を解析する信号解析部と、信号解析した結果から複数の同一内容番組の存在を検出する同一内容番組検出部と、複数の同一内容番組に含まれる情報のうち復号可能な信号を抽出する復号可能信号抽出部と、復号可能な信号から出力可能な信号を選択する出力信号選択部と、選択された信号を復号する信号復号部と、前記復号された信号を出力する信号出力部とを具備した。【選択図】図１
2008048299.tif 000002
【特許請求の範囲】
【請求項１】
信号を復号する信号復号部と、
前記信号復号部で復号可能な信号を抽出する復号可能信号抽出部と、
前記復号可能な信号からユーザの設定に基づき、復号する信号を選択する出力信号選択部とを具備することを特徴とする放送受信装置。
【請求項２】
受信した放送信号を復調する信号復調部と、
前記信号復調部の出力信号を解析し、前記信号復号部に出力する信号解析部と、
前記信号解析部にて解析した結果から、複数の同一内容番組の存在を検出する同一内容番組検出部とを具備し、
前記出力信号選択部は、前記復号可能な信号として、前記複数の同一内容番組に含まれる情報の信号を用いることを特徴とする請求項１記載の放送受信装置。
【請求項３】
前記出力信号選択部は、あらかじめユーザが設定した復号信号に対する優先順位に基づいて、前記復号する信号を選択する請求項１又は請求項２に記載の放送受信装置。
【請求項４】
前記出力信号選択部は、信号復号時におけるユーザの選択により、前記復号する信号を選択する請求項１又は請求項２に記載の放送受信装置。
【請求項５】
前記同一内容番組検出部は、前記複数の番組情報内に同一の音声情報や字幕情報を含む番組構成情報の存在を検出することで、同一内容番組を検出することを特徴とする請求項２から請求項４の何れかに記載の放送受信装置。
【請求項６】
前記同一内容番組検出部で検出された複数の同一番組に対して、同一番組であることを明示して現在及び未来の視聴可能番組を表示する番組一覧表示部と、
前記番組一覧表示部において番組の視聴および予約を行い、前記同一番組の視聴および予約を行う際には、前記出力信号選択部で選択された信号を復号し、出力もしくは予約する選択番組視聴予約部とを具備することを特徴とする請求項２から請求項５の何れかに記載の放送受信装置。
【請求項７】
信号を復号する信号復号ステップと、
前記信号復号ステップで復号可能な信号を抽出する復号可能信号抽出ステップと、
前記復号可能な信号からユーザの設定に基づき、復号する信号を選択する出力信号選択ステップとを含むことを特徴とする放送受信方法。
【請求項８】
受信した放送信号を復調する信号復調ステップと、
前記信号復調ステップの出力信号を解析し、前記信号復号ステップに出力する信号解析ステップと、
前記信号解析ステップにて解析した結果から、複数の同一内容番組の存在を検出する同一内容番組検出ステップとを含み、
前記出力信号選択ステップは、前記復号可能な信号として、前記複数の同一内容番組に含まれる情報の信号を用いることを特徴とする請求項７記載の放送受信方法。
【発明の詳細な説明】
【技術分野】
【０００１】
本発明は、デジタルテレビジョン放送を受信することが可能な放送受信装置および放送受信方法に関するものであり、より詳しくは、同一時間帯に同一内容のデジタルテレビジョン放送を複数の放送プログラムから放送される環境下の放送受信装置および放送受信方法に関するものである。
【背景技術】
【０００２】
テレビジョン放送のデジタル化により、従来よりも多い放送プログラムを同時に放送することが可能となった。これに伴って、同一内容の番組を複数の放送プログラムから送信する、いわゆるサイマルキャスト放送が行うことが可能となり、同一放送を複数の放送プログラムから異なる形態で放送したものを視聴者が好みに応じて視聴する、という放送形態も実施できるようになる。
【０００３】
日本国内においては、地上波アナログ放送と地上波デジタル放送の間でのサイマルキャスト放送が行われており、アナログ放送−デジタル放送間のサイマルキャストに関して下記の特許文献が既に公開されている。
【０００４】
特許文献１においては、アナログ放送−デジタル放送間のサイマルキャストの特性を活かし、デジタル放送側の選局・映像表示が開始されるまでの間はアナログ放送の同一番組を表示することで選局におけるブラックアウト時間を短縮することを実現している。
【特許文献１】特開２００５−７２９８８号公報
【発明の開示】
【発明が解決しようとする課題】
【０００５】
従来の放送受信装置および放送受信方法においては、主に受信したトランスポートストリームに含まれるＰＡＴ（Ｐｒｏｇｒａｍ Ａｓｓｏｃｉａｔｉｏｎ Ｔａｂｌｅ）およびＰＭＴ（Ｐｒｏｇｒａｍ Ｍａｐ Ｔａｂｌｅ）を解析することによって番組の構成内容を調査し、調査した構成内容を元に映像や音声のデコード・表示を行う。しかし、このときに受信機の性能を超える信号、たとえば音声の受信制限はないが映像は通常解像度（Ｓｔａｎｄａｒｄ Ｄｅｆｉｎｉｔｉｏｎ， ＳＤ）の映像のみをデコードできる受信機(以下、受信機Ａと記載)に対して高解像度（Ｈｉｇｈ Ｄｅｆｉｎｉｔｉｏｎ， ＨＤ）の映像を持つ番組が送信された場合、受信機Ａは、受信機の性能により当該番組を受信できない旨を表示するなど何らかの対応を行う必要がある。サイマルキャスト放送において、たとえば放送プログラム１でＳＤ映像および２ｃｈステレオ音声を、放送プログラム２でＨＤ映像、２ｃｈステレオ音声、および５．１ｃｈサラウンド音声を放送している場合に、受信機Ａは放送プログラム２をデコードできないため、受信機Ａを所有している視聴者は当該番組を５．１ｃｈサラウンド音声で楽しむことができない。本発明は、かかる状況に鑑みて受信性能に制約がある放送受信装置および放送受信方法においても視聴者に可能な限り受信方法の選択肢を提供するものである。
【課題を解決するための手段】
【０００６】
前記の課題を解決するために、本発明による放送受信装置は、受信した放送信号を復調する信号復調部と、前記復調した信号を解析する信号解析部と、前記解析した信号を復号する信号復号部と、前記復号した信号を出力する信号出力部と、前記信号解析部にて解析した結果から複数の同一内容番組の存在を検出する同一内容番組検出部と、前記複数の同一内容番組に含まれる情報のうち前記信号復号部で復号可能な信号を抽出する復号可能信号抽出部と、前記復号可能な信号から前記信号復号部にて復号する信号を選択する出力信号選択部とを具備することを特徴とする。
【０００７】
上記の構成にかかる放送受信装置において、前記同一内容番組検出部は、前記複数の番組情報内に同一の音声情報や字幕情報を含む番組構成情報の存在を検出することで、同一内容番組を検出することを特徴とする。
【０００８】
上記の構成にかかる放送受信装置において、前記同一内容番組検出部で検出された複数の同一番組に対して同一番組であることを明示して現在及び未来の視聴可能番組を表示する番組一覧表示部と、前記番組一覧表示部において番組の視聴および予約を行い、前記同一番組の視聴および予約を行う際には、前記出力信号選択部で選択された信号を復号し、出力もしくは予約する選択番組視聴予約部とを具備することを特徴とする。
【０００９】
本発明による放送受信方法は、受信した放送信号を復調する信号復調ステップと、前記復調した信号を解析する信号解析ステップと、前記解析した信号を復号する信号復号ステップと、前記復号した信号を出力する信号出力ステップと、前記信号解析ステップにて解析した結果から複数の同一内容番組の存在を検出する同一内容番組検出ステップと、前記複数の同一内容番組に含まれる情報のうち前記信号復号ステップで復号可能な信号を抽出する復号可能信号抽出ステップと、前記復号可能な信号から前記信号復号ステップにて復号する信号を選択する出力信号選択ステップとを具備することを特徴とする。
【００１０】
上記の放送受信方法において、前記同一内容番組検出ステップは、前記複数の番組情報内に同一の音声情報や字幕情報を含む番組構成情報の存在を検出することで、同一内容番組を検出することを特徴とする。
【００１１】
上記の放送受信方法において、前記同一内容番組検出ステップで検出された複数の同一番組に対して同一番組であることを明示して現在及び未来の視聴可能番組を表示する番組一覧表示ステップと、前記番組一覧表示ステップにおいて番組の視聴および予約を行い、前記同一番組の視聴および予約を行う際には、前記出力信号選択ステップで選択された信号を復号し、出力もしくは予約する選択番組視聴予約ステップとを具備することを特徴とする。
【発明の効果】
【００１２】
本発明による放送受信装置および放送受信方法によって、視聴者は保有する受信機の性能下で同一番組を視聴するのにさまざまな選択肢の中から希望する方法で視聴することができる。前記課題に示した例で述べれば、ＳＤ映像と５．１ｃｈサラウンド音声の組み合わせで番組を視聴することが可能となる。
【発明を実施するための最良の形態】
【００１３】
以下本発明を実施するための最良の形態について、図面を参照しながら説明する。
（実施の形態１）
本発明の一実施の形態における放送受信装置の構成を図１に示す。図１において、１０１は信号復調部であり、放送信号出力時に変調された信号を復調する機能を持ち、本信号復調部によって復調された信号は現在の放送規格で言えばＩＳＯ／ＩＥＣ １３８１８−１に定義されているトランスポートストリームの構造をとる。１０２は信号解析部であり、信号復調部１０１で復調された信号に含まれるデータの種類や内容を解析する。１０３は同一内容番組検出部であり、信号解析部１０２で解析した結果の情報を元にサイマルキャスト放送が存在するかどうかを調査し、サイマルキャスト放送が存在する場合はサイマルキャスト放送に関する情報を返す機能を持つ。１０４は復号可能信号抽出部であり、信号解析部１０２で解析した結果の情報を元に、トランスポートストリーム内に含まれる映像／音声信号が放送受信装置１００で復号／出力可能かどうかを判定し、復号可能な信号の情報を返す機能を持つ。１０５は出力信号選択部であり、信号解析部１０２で解析した結果の情報、同一内容番組検出部１０３で抽出された同一内容番組情報、および復号可能信号抽出部１０４で抽出された復号可能情報を元に出力する信号を選択し、信号解析部１０２に復号する信号の情報を渡す機能を持つ。１０６は信号復号部であり、信号解析部１０２から渡された映像／音声信号を復号する機能を持つ。１０７は信号出力部であり、信号復号部１０６で復号された映像／音声信号を必要に応じて処理し、映像／音声信号として出力する機能を持つ。なお、各種情報を表示するためのＯＳＤ（Ｏｎ Ｓｃｒｅｅｎ Ｄｉｓｐｌａｙ）を重畳する機能が信号出力部１０７に含まれてもよい。また、図１において、太線は映像／音声を含む放送信号の流れを、細線は信号解析部１０２で解析した結果の情報を元に放送受信装置１００にて行う情報処理の流れを、それぞれ示している。
【００１４】
ここで、図２を用いて、本発明による放送受信装置１００におけるサイマルキャスト放送を受信した場合の処理の流れを説明する。受信した信号は信号復調部１０１によって復調され、信号解析部１０２へと送られる（Ｓ２０１）。信号解析部１０２では、信号復調部１０１で復調された信号を解析し、信号内に含まれる情報を調査する（Ｓ２０２）。図３に、信号解析部１０２で調査された信号の構成例を示す。図３の例では、受信した信号には二つの放送プログラムが存在し、それぞれに映像、音声が存在し、付随する何らかのデータが別のＰＥＳ（Ｐａｃｋｅｔｉｚｅｄ Ｅｌｅｍｅｎｔａｒｙ Ｓｔｒｅａｍ）の形で存在している。これ以降は図３の例をもとに、視聴者がＰＭＴ＝０ｘ０２００に相当する番組の視聴を希望している、という前提で説明を続ける。信号解析部１０２は図３に示すような解析結果を出力信号選択部１０５へ送付するとともに、視聴者が視聴を希望している番組（以下、選択番組）がＰＭＴ＝０ｘ０２００であることをあわせて出力信号選択部１０５へ伝える（Ｓ２０３）。これらの情報を受け取った出力信号選択部１０５は、選択番組がサイマルキャスト放送か否かを判断するために、一旦信号解析部１０２から受け取った情報をすべて同一内容番組検出部１０３へ送付する。
【００１５】
出力信号選択部１０５から情報を受け取った同一内容番組検出部１０３は、受け取った情報を元に、選択番組にサイマルキャスト放送が存在するか否かを調べる（Ｓ２０４）。調査の方法として、ＥＩＴ（Ｅｖｅｎｔ Ｉｎｆｏｒｍａｔｉｏｎ Ｔａｂｌｅ）に記載されている番組情報を調査して、一致している場合にサイマルキャスト放送とみなす、といった方法が考えられる。
【００１６】
本実施例では、同一番組の検出方法として同一トランスポートストリーム内に存在する複数の番組情報内に同一の音声情報や字幕情報などの番組構成情報を含むことを検出することで同一内容番組を検出する方法について説明する。図３において、ＰＭＴ＝０ｘ０１００の放送プログラムとＰＭＴ＝０ｘ０２００の放送プログラムは、同一ＰＩＤ（Ｐａｃｋｅｔ ＩＤ）０ｘ０１２０を持つオーディオデータ（図３の＠印）を構成要素として持っているため、同一音声を使用するこれら二つの番組はサイマルキャスト放送であると判断することができる。また、字幕情報を元に判別する場合は、図３に示すＰｒｉｖａｔｅ ＰＥＳ（ＰＩＤ＝０ｘ０１３０）が字幕情報であるかどうかを調査し、字幕情報であった場合は、同一ＰＩＤを持つ字幕情報（図３の＃印）を複数の放送プログラムが使用していることとなり、これらの放送プログラムがサイマルキャスト放送である、と判断することができる。なお、本方法は前記ＥＩＴを調査する方法に比べると処理が単純なため、より速くサイマルキャスト放送の調査を行うことができる。また、同一内容番組検出部１０３における同一内容番組検出の方法として、前記複数の方法を組み合わせてもよい。これらの結果、前記二つの放送プログラムはサイマルキャスト放送である旨を、出力信号選択部１０５から受け取った情報とともに復号可能信号抽出部１０４へ送付する。なお、復号可能信号抽出部１０４へ情報を送付する際に一旦出力信号選択部１０５を経由してもよい。
【００１７】
図３に示す情報およびサイマルキャスト情報を受け取った復号可能信号抽出部１０４は、サイマルキャスト放送に含まれる信号の内容を確認し、放送受信装置１００の受信性能を加味して復号可能信号を抽出し、抽出結果を出力信号選択部１０５へ返す（Ｓ２０５）。復号可能信号抽出のイメージを図４に示す。図４において、３０１に示す受信情報を復号可能信号抽出部１０４が受信した場合、出力信号選択部１０５はサイマルキャスト放送と判定された複数の番組に対して、それぞれの構成要素が放送受信装置１００において復号可能かどうかを判断する。たとえば、図４において、サイマル２のビデオは１０８０ｉの映像信号であり、４８０ｉしか復号できない受信装置では復号できないため、出力情報の構成要素リストからは外す。また、字幕情報など、複数の番組で重複している情報も外して、出力情報３０３を作成する。リスト作成時に、各構成要素に対して、もともとどちらの番組に含まれていたものかを示す情報を追加してもよい。作成された出力情報３０３は出力信号選択部１０５へ送付される。
【００１８】
出力情報３０３を受け取った出力信号選択部１０５では、出力情報３０３を元に、どのような組み合わせで映像／音声を復号するかを選択し、選択結果を信号解析部１０２へ通知（Ｓ２０６）する。選択結果を受け取った信号解析部１０２は受け取った選択結果に基づいて映像信号および音声信号を信号復号部１０６へ渡して復号を行い、復号したデータを信号出力部１０７へ送る（Ｓ２０７）。復号データを受け取った信号出力部１０７は必要に応じて処理を行い、映像および音声の出力を行う（Ｓ２０８）。
【００１９】
図２における、復号する信号の組み合わせ選択（Ｓ２０６）について、より詳細に図５のフローチャートを用いて説明する。あらかじめ、出力信号選択部１０５は、信号解析部１０２経由で信号出力部１０７を用いて、出力信号の優先順位の設定を行うための画面を表示し、ユーザによる設定を促す（Ｓ３０１）。ユーザによる設定結果は、出力信号選択部１０５において保存される（Ｓ３０２）。出力信号選択部１０５は、設定結果を基に出力信号を決定する。例えばユーザによる音声の出力信号の優先順位が、ＡＣ−３、ＭＰＥＧ  Ａｕｄｉｏの順で設定されている場合、図４に示す出力信号３０３について、音声の出力信号としてＡＣ−３を出力する。
【００２０】
なお、出力信号の選択方法については、視聴者にあらかじめ優先順位を設定してもらいその優先順位に従う方法以外に、選択番組に含まれていたものを優先する、、あるいはサイマルキャスト放送を選局するたびに視聴者に選択してもらうなどの方法がある。
（実施の形態２）
本発明の実施の形態２における放送受信装置の構成を図６に示す。信号復調部１０１、信号解析部１０２、同一内容番組検出部１０３、復号可能信号抽出部１０４、出力信号選択部１０５、信号復号部１０６、および信号出力部１０７については実施の形態１で説明した内容と同一のものであり、説明を省略する。但し、信号出力部１０７においては番組情報を含む各種情報を表示するためのＯＳＤを重畳する機能を含んでいる。１０８は番組一覧表示部であり、受信した信号に含まれている現在および未来の番組に関連する情報を表示する機能を持ち、ＥＰＧ（Ｅｌｅｃｔｒｉｃ Ｐｒｏｇｒａｍ Ｇｕｉｄｅ）が番組一覧表示部１０８の表示の一例として挙げられる。１０９は番組視聴予約部であり、番組一覧表示部１０８に表示されている番組の中から好みの番組を選択して直接視聴、もしくは視聴予約を行う機能を持つ。なお、図６において太線は映像／音声を含む信号の処理の流れを、細い実線は信号解析部１０２で解析した情報を用いた番組一覧表からの視聴選択もしくは視聴予約処理の流れを、細い点線は実施の形態１で示した視聴処理の流れを、それぞれ示している。
【００２１】
ここで図７を用いて、本発明による放送受信装置１００において、番組一覧表からの視聴選択もしくは視聴予約の手順を説明する。なお、番組一覧表を用いずに選局した場合の視聴手順については実施の形態１で説明したとおりである。
【００２２】
信号復調部１０１で復調された信号は信号解析部１０２に送られて（Ｓ２０１）、信号解析部１０２で図３の例に示す形での情報解析が行われる（Ｓ２０２）。図３の例に示される情報は番組一覧表示部１０８に送付される。番組情報を受け取った番組一覧表示部１０８は、サイマルキャスト放送が存在するか否かを調べるために、受け取った情報を同一内容番組検出部１０３へ送付する。情報を受け取った同一内容番組検出部１０３は受け取った情報を元にサイマルキャスト情報が存在するか否かを調査し、その結果を復号可能信号抽出部１０４へ送付する（Ｓ２１０）。同一内容番組検出部１０３におけるサイマルキャスト放送調査の方法については実施の形態１で説明した方法と同等である。サイマルキャスト情報を受け取った復号可能信号抽出部１０４は、各サイマルキャスト放送に対して、復号可能信号の情報を実施の形態１に示したのと同等の方法で作成し、結果を番組一覧表示部１０８へ送付する。番組一覧表示部１０８が受け取る情報は、図４に示す出力情報３０３の形となる。図３に示す番組情報と図４に示す出力情報３０３を受け取った番組一覧表示部１０８は、受け取った情報を元にして番組一覧表を作成する（Ｓ２１１）。番組一覧表示部１０８によって作成された番組表の例を図８に示す。図８において、ＡＡＡテレビ１の１９：００からの番組とＡＡＡテレビ２の１９：００からの番組は同一内容であり、サイマルキャスト放送であることを示している。そのため、両者の番組表示の際にサイマルキャスト放送であることがわかる表示を行っている。図８の例では文字でサイマルキャスト放送であることを示しているが、サイマルキャスト放送であることを示すアイコンなどを使用してもよいし、サイマルキャスト放送の表示色または背景色を変えることでサイマルキャスト放送であることを示してもかまわない。
【００２３】
図８において、視聴者がサイマルキャスト放送である１９：００からのＡＡＡテレビ２の視聴を希望した場合（Ｓ２１２）、番組一覧表示部１０８は該当する番組の出力情報３０３を出力信号選択部１０５へ送付し（Ｓ２０５）、出力信号選択部１０５は実施の形態１に示した方法で出力信号の選択を行い、選択結果を信号解析部１０２へ通知する（Ｓ２０６）。選択結果を受け取った信号解析部１０２は選択結果を元に、映像／音声信号を信号復号部１０６へ送信する。信号復号部１０６では受け取った信号を復号し、復号結果を信号出力部１０７へ出力する（Ｓ２０７）。復号データを受け取った信号出力部１０７は必要に応じて処理を行い、映像および音声の出力を行う（Ｓ２０８）。
【産業上の利用可能性】
【００２４】
本発明は、同一時間帯に同一内容のデジタルテレビジョン放送を複数の放送プログラムで放送される環境下において、デジタルテレビジョン放送を受信することが可能な家庭用放送受信装置のみならず、車載用放送受信装置、携帯用放送受信装置などに適用可能であり、有用である。
【図面の簡単な説明】
【００２５】
【図１】本発明の実施形態１における放送受信装置の構成を示すブロック図
【図２】本発明の実施形態１における放送受信装置の処理を示すフローチャート
【図３】本発明の実施形態１および実施形態２における信号解析結果を示す概念図
【図４】本発明の実施形態１および実施形態２における復号可能な信号の抽出を示す概念図
【図５】本発明の実施形態１における出力信号選択の処理を示すフローチャート
【図６】本発明の実施形態２における放送受信装置の構成を示すブロック図
【図７】本発明の実施形態２における放送受信装置の処理を示すフローチャート
【図８】本発明の実施形態２における番組一覧表の一例を示す図
【符号の説明】
【００２６】
１０１    信号復調部
１０２    信号解析部
１０３    同一内容番組検出部
１０４    復号可能信号抽出部
１０５    出力信号選択部
１０６    信号復号部
１０７    信号出力部
１０８    番組一覧表示部
１０９    番組視聴予約部
３０１    受信情報
３０３    出力情報
【図１】
2008048299.tif 000003
【図２】
2008048299.tif 000004
【図３】
2008048299.tif 000005
【図４】
2008048299.tif 000006
【図５】
2008048299.tif 000007
【図６】
2008048299.tif 000008
【図７】
2008048299.tif 000009
【図８】
2008048299.tif 000010